【手続補正書】
【提出日】平成18年3月4日(2006.3.4)
【手続補正１】
【補正対象書類名】明細書
【補正対象項目名】特許請求の範囲
【補正方法】変更
【補正の内容】
【特許請求の範囲】
【請求項１】  ユーザーが携帯する電子生物生存装置であって、
近傍のエリアに存在する他の電子生物生存装置に受信されるように、「自らの中で生存している電子生物の存在を示す又はそれが分かる所定の信号」を無線で送信するための信号送信手段と、
近傍のエリアに存在する他の電子生物生存装置から無線で送信された「前記他の電子生物生存装置の中で生存している電子生物の存在を示す又はそれが分かる所定の信号」を受信するための信号受信手段と、
を含むことを特徴とする携帯型電子生物生存装置。
【請求項２】  ユーザーが携帯する電子生物生存装置であって、
近傍のエリアに存在する他の電子生物生存装置に受信されるように、「自らの中で生存している電子生物による所定の信号」を無線で送信するための信号送信手段と、
近傍のエリアに存在する他の電子生物生存装置から無線で送信された「前記他の電子生物生存装置の中で生存している電子生物による所定の信号」を受信するための信号受信手段と、
を含むことを特徴とする携帯型電子生物生存装置。
【請求項３】  ユーザーが携帯する電子生物生存装置であって、
他の電子生物生存装置が近傍のエリアに存在しているとき、自動的に、その近傍のエリアに存在する前記他の電子生物生存装置に対して「自らの中で生存している電子生物の存在を示す又はそれが分かる所定の信号」を無線で送信するための信号送信手段と、
近傍のエリアに存在する他の電子生物生存装置から無線で送信されてきた「前記他の電子生物生存装置の中で生存している電子生物の存在を示す又はそれが分かる所定の信号」を受信するための信号受信手段と、
を含むことを特徴とする携帯型電子生物生存装置。
【請求項４】  ユーザーが携帯する電子生物生存装置であって、
他の電子生物生存装置が近傍のエリアに存在しているとき、自動的に、その近傍のエリアに存在する他の電子生物生存装置に対して「自らの中で生存している電子生物による所定の信号」を無線で送信するための信号送信手段と、
近傍のエリアに存在する他の電子生物生存装置から無線で送信されてきた「前記他の電子生物生存装置の中で生存している電子生物による所定の信号」を受信するための信号受信手段と、
を含むことを特徴とする携帯型電子生物生存装置。
【請求項５】  請求項１から４までのいずかれ一つにおいて、
前記信号受信手段により前記他の電子生物生存装置からの前記信号を受信したとき、自動的に、その信号を送信した前記他の携帯型電子生物生存装置に対して、所定の信号を無線で返信するための信号返信手段、を含むことを特徴とする携帯型電子生物生存装置。
【請求項６】  請求項１から５までのいずかれ一つにおいて、
近傍のエリアにユーザー以外の他の人間が存在していることを検知するための人体検知手段を備え、
前記信号送信手段は、前記人体検知手段からの出力に基づいて前記信号を無線で送信するものである、ことを特徴とする携帯型電子生物生存装置。
【請求項７】  請求項１から６までのいずれか一つにおいて、
近傍のエリアに他の電子生物生存装置が存在していることを検知するための電子生物検知手段を備え、
前記信号送信手段は、前記電子生物検知手段からの出力に基づいて前記信号を無線で送信するものである、ことを特徴とする携帯型電子生物生存装置。
【請求項８】  請求項１から７までのいずれか一つにおいて、
前記信号送信手段から前記信号を送信するとき又はしたとき、前記信号を送信する側の電子生物の存在又はその居場所を周囲の人に報知するための送信側報知手段を備えた、ことを特徴とする携帯型電子生物生存装置。
【請求項９】  請求項１から７までのいずれか一つにおいて、
前記信号受信手段により前記信号を受信したとき、そのことをユーザーに報知するための受信報知手段を備えた、ことを特徴とする携帯型電子生物生存装置。
【請求項１０】  請求項１から７までのいずれか一つにおいて、
前記信号受信手段により前記信号を受信したとき、前記信号を受信した側の電子生物の存在又はその居場所を周囲の人に報知するための受信側報知手段を備えた、ことを特徴とする携帯型電子生物生存装置。
【請求項１１】  請求項１から１０までのいずれか一つにおいて、
前記信号返信手段により信号を返信するとき、前記返信する側の電子生物の存在又はその居場所を周囲の人に報知するための返信側報知手段を備えた、ことを特徴とする携帯型電子生物生存装置。
【請求項１２】  請求項１から１１までのいずれか一つにおいて、
電子生物に関するデータを記録する電子生物データ記録手段と、
この電子生物データ記録手段に記録された電子生物データを、前記信号と共に又は前記信号とは別に、他の電子生物生存装置に対して送信する電子生物データ送信手段と、
他の電子生物生存装置から送信された前記他の電子生物生存装置の電子生物データを受信する電子生物データ受信手段と、
この電子生物データ受信手段により受信された前記他の電子生物生存装置の電子生物データを出力する電子生物データ出力手段と、
を備えたことを特徴とする携帯型電子生物生存装置。
【請求項１３】  請求項１から１１までのいずれかにおいて、
電子生物のユーザーに関するデータを記録するユーザー・データ記録手段と、
このユーザー・データ記録手段に記録されたユーザー・データを、前記信号と共に又は前記信号とは別に、他の電子生物生存装置に対して送信するユーザー・データ送信手段と、
他の電子生物生存装置から送信された前記他の電子生物生存装置のユーザー・データを受信するユーザー・データ受信手段と、
このユーザー・データ受信手段により受信された前記他の電子生物生存装置のユーザー・データを出力するユーザー・データ出力手段と、
を備えたことを特徴とする携帯型電子生物生存装置。
【請求項１４】  請求項１２において、
他の携帯型電子生物生存装置から送信された前記他の携帯型電子生物生存装置の電子生物データと自らの電子生物データとを比較して、双方の電子生物データの間の類似度又は相性度を判定するための類似度又は相性度判定手段と、
この類似度又は相性度判定手段による判定結果を出力するための判定結果出力手段と、
を含むことを特徴とする携帯型電子生物生存装置。
【請求項１５】  請求項１２又は１４において、
他の携帯型電子生物生存装置から送信された前記他の携帯型電子生物生存装置の電子生物データと自らの電子生物データとを比較して、双方の電子生物データの間の類似度又は相性度を判定するための類似度又は相性度判定手段と、
この類似度又は相性度判定手段により類似度又は相性度が比較的高いと判定されたとき、ユーザーにそのことを知らせる所定の告知をするための判定告知手段と、
を含むことを特徴とする携帯型電子生物生存装置。
【請求項１６】  請求項１３において、
他の携帯型電子生物生存装置から送信された前記他の携帯型電子生物生存装置のユーザー・データと自らのユーザー・データとを比較して、双方のユーザーの間の類似度又は相性度を判定するための類似度又は相性度判定手段と、
この類似度又は相性度判定手段による判定結果を出力するための判定結果出力手段と、
を含むことを特徴とする携帯型電子生物生存装置。
【請求項１７】  請求項１３又は１６において、
他の携帯型電子生物生存装置から送信された前記他の携帯型電子生物生存装置のユーザー・データと自らのユーザー・データとを比較して、双方のユーザー・データの間の類似度又は相性度を判定するための類似度又は相性度判定手段と、
この類似度又は相性度判定手段により類似度又は相性度が比較的高いと判定されたとき、ユーザーにそのことを知らせる所定の告知をするための判定告知手段と、
を含むことを特徴とする携帯型電子生物生存装置。
【請求項１８】  請求項１から１７までのいずれか一つにおいて、
他の電子生物生存装置から送信された所定の信号を受信した後に、自動的に、前記他の電子生物生存装置に対して「自らの電子生物に関するデータを送信してもよいかどうかを問い合わせるための問い合わせ信号」を送信するための第１の問合せ信号送信手段を備えた、ことを特徴とする携帯型電子生物生存装置。
【請求項１９】  請求項１から１８までのいずれか一つにおいて、
他の電子生物生存装置から送信された所定の信号を受信した後に、自動的に、前記他の電子生物生存装置に対して「自らのユーザーに関するデータを送信してもよいかどうかを問い合わせるための問い合わせ信号」を送信するための第２の問合せ信号送信手段を備えた、ことを特徴とする携帯型電子生物生存装置。
【請求項２０】  互いに近傍のエリア内に存在する少なくとも２つの携帯型電子生物生存装置の間で、電子生物同士が無線で交信して、相互間の鳴き声のやり取り、会話のやり取り、ゲームのやり取り、戦闘のやり取り、又はお見合いのやり取りなどのような「情報のやり取り」を、ユーザーの特別な操作によらずに自動的に行うための自発的交信手段を備えた、ことを特徴とする携帯型電子生物生存装置。